(57)【要約】【課題】パネル材側に何らの事前加工を施すことなく、現場状況にも柔軟に対応させながら作業性よく枠体を組み立てることができるパネル材用連結金具の提供。【解決手段】揺動自在に相手材に当接する当接面２７を有して各別に配置される複数の揺動体１２と、該揺動体１２側を着脱自在に個別螺着する螺合固定部３６を各別に有し、かつ、相互間に略直角の内角を形成して組み合わされる２枚ないし３枚のパネル材Ｐ１，Ｐ２，Ｐ３の各内側面Ａ，Ｂ，Ｃへの当接面２６の正対配置を自在にして揺動体１２相互を一体的に連結する連結支腕体３２とで構成した。【選択図】図１
2007247874.tif 000002
【特許請求の範囲】
【請求項１】
揺動自在に相手材に当接する当接面を有して各別に配置される複数の揺動体と、該揺動体側を着脱自在に個別螺着する螺合固定部を各別に有し、かつ、相互間に略直角の内角を形成して組み合わされる２枚ないし３枚のパネル材の各内側面への前記当接面の正対配置を自在にして前記揺動体相互を一体的に連結する連結支腕体とで構成したことを特徴とするパネル材用連結金具。
【請求項２】
前記連結支腕体は、所要長さの直進支杆部と、該直進支杆部の両端側から各別に延設された短寸折曲部とを備え、該短寸折曲部の開放端側に前記螺合固定部を具備させた請求項１に記載のパネル材用連結金具。
【請求項３】
前記揺動体は、前記螺合固定部への螺着が自在な支持体部と、該支持体部を介して前記螺合固定部との間で遊動自在に支持される可動体部と、該可動体部への螺着が自在で、かつ、前記当接面をその表出面に備える当接体部とを少なくとも具備させた請求項１または２に記載のパネル材用連結金具。
【請求項４】
前記可動体部は、止着材を介して前記支持体部側への位置固定を自在とした請求項３に記載のパネル材用連結金具。
【請求項５】
前記当接面上には、適宜の接着剤を塗布してなる接合層を形成した請求項１ないし４のいずれかに記載のパネル材用連結金具。
【発明の詳細な説明】
【技術分野】
【０００１】
本発明は、２〜３枚のパネル材相互を連結用孔などの事前加工部を設けることなく一体的に連結して組み立てることができるパネル材用連結金具に関する技術である。
【背景技術】
【０００２】
２〜３枚のパネル材相互を連結して枠体を形成する手法において、組立時間の短縮や組立作業の簡易化、組立てに要する場所の省スペース化を目指すものとしては、例えば下記特許文献１に示す「板体の組立方法」などがある。
【特許文献１】特開昭６３−１９５４０７号公報
【０００３】
上記特許文献１に開示されている組立手法は、相互に突き合わせて接合されるパネル材の各端部側に力点として回転操作させる支点部と、互いに締着される作用部とを設け、一方に対し他方を鋭角の状態から直角の状態へと回転操作して締結することにより、枠体として組み立てられるようにしたものである。
【０００４】
一方、天板をガラス板からなるパネル材とすることで、適宜の枠体を組み立てる場合においては、天板側に取付け用孔などを設けるとともに、パネル材の内側に連結金具を配置し、取付け用孔を介して連結金具を連結させることで２〜３枚のパネル材相互を一体的に組み立てるようにしたものもある。
【発明の開示】
【発明が解決しようとする課題】
【０００５】
このうち、特許文献１に開示されている手法は、作業性に優れ、かつ、組立てに要する場所の省スペース化を実現することもできる点で優れてはいるものの、事前にパネル材側に必要な加工を施したり、金具を取り付けておかなければならないなどの不都合があった。
【０００６】
また、内側に配置した連結金具を用いて連結する従来手法による場合には、パネル材側に取付け用孔を設けておかなければならないほか、連結金具側をパネル材側に正対させるのが難しかしいなど、必ずしも現場状況に柔軟に対応しきれない不都合があった。
【０００７】
本発明は、従来技術にみられた上記課題に鑑み、パネル材側に何らの事前加工を施すことなく、現場状況にも柔軟に対応させながら作業性よく枠体を組み立てることができるパネル材用連結金具を提供することを目的とする。
【課題を解決するための手段】
【０００８】
本発明は、上記目的を達成すべくなされたものであり、揺動自在に相手材に当接する当接面を有して各別に配置される複数の揺動体と、該揺動体側を着脱自在に個別螺着する螺合固定部を各別に有し、かつ、相互間に略直角の内角を形成して組み合わされる２枚ないし３枚のパネル材の各内側面への前記当接面の正対配置を自在にして前記揺動体相互を一体的に連結する連結支腕体とで構成したことを最も主要な特徴とする。
【０００９】
この場合、前記連結支腕体は、所要長さの直進支杆部と、該直進支杆部の両端側から各別に延設された短寸折曲部とを備え、該短寸折曲部の開放端側に前記螺合固定部を具備させて形成するのが好ましい。
【００１０】
また、前記揺動体は、前記螺合固定部への螺着が自在な支持体部と、該支持体部を介して前記螺合固定部との間で遊動自在に支持される可動体部と、該可動体部への螺着が自在で、かつ、前記当接面をその表出面に備える当接体部とで形成するのが好ましい。この場合、前記可動体部は、止着材を介して前記支持体部側への位置固定を自在とするのが望ましい。さらに、前記当接面上には、適宜の接着剤を塗布してなる接合層を形成しておくのが望ましい。
【発明の効果】
【００１１】
請求項１に係る発明によれば、相互間に略直角の内角を形成して組み合わされる２枚ないし３枚のパネル材の各内側面に対し、連結支腕体に取り付けた揺動体を介してその当接面を正対配置することができるので、デザイン性に優れた枠体を現場状況に柔軟に対応させながら容易に組み立てることができる。
【００１２】
請求項２に係る発明によれば、直進支杆部の両端側に短寸折曲部を延設することで連結支腕体が形成されているので、煩雑感のないシンプルなデザインのもとで各揺動体を取り付けることができ、その設置時におけるデザイン的な印象をより好ましいものとすることができる。
【００１３】
請求項３に係る発明によれば、当接体部を螺着させた可動体部を遊動自在に支持させた支持体部を螺合固定部に螺着することで、揺動体が連結支腕体側に取り付けられているので、その当接面を常にパネル材側に正対配置することができる。
【００１４】
請求項４に係る発明によれば、止着材を介して支持体部側に可動体部を位置固定することができるので、螺合固定部に対し可動体部を把持しながら螺合固定部に対し支持体部を螺着することができる。また、可動体部は、止着材を緩めることで容易に遊動性を付与することができる。
【００１５】
請求項５に係る発明によれば、当接面に接合層が形成されているので、相手材であるパネル材側に接合層を接合させることで、直ちに枠体を形成することができる。
【発明を実施するための最良の形態】
【００１６】
図１は、本発明の一例についての斜視図を示し、図２は、本発明における揺動体と連結支腕体が備える螺合固定部との配置関係を分解して示す要部斜視部である。また、図３は、本発明の他例についての斜視図を示す。
【００１７】
図１に示す例によれば、パネル材用連結金具１１の全体は、揺動自在に相手材に当接する当接面２６を有して各別に配置される３個の揺動体１２と、該揺動体１２側を着脱自在に個別螺着する螺合固定部３６を各別に有し、かつ、相互間に略直角の内角を形成して組み合わされる３枚のパネル材Ｐ１，Ｐ２，Ｐ３の各内側面  への個々の当接面２６の正対配置を自在にして各揺動体１２を一体的に連結する連結支腕体３２とで構成されている。
【００１８】
この場合、揺動体１２は、図２に示すように螺合固定部３６への螺着が自在に形成された支持体部１３と、該支持体部１３を介して螺合固定部３６との間で遊動自在に支持される可動体部１６と、該可動体部１６への螺着が自在で、かつ、当接面２６をその表出面に備えて形成された当接体部２３とで構成されている。
【００１９】
このうち、支持体部１３は、螺合固定部３６の表面側に開口を有する雌ねじ穴３７に螺着される雄ねじ部１４と、該雄ねじ部１４の外径よりも大径な外径が付与されてその頂端部側に一体に形成された掛止部１５とを備えている。
【００２０】
可動体部１６は、基端側に支持体部１３の掛止部１５よりも小径な縮径開口部１７を、頂端側に掛止部１５よりも大径な開口部１８をそれぞれ有し、かつ、その内周面に雌ねじ部１９を刻入してなる略円筒状を呈して形成されている。また、可動体部１６の縮径開口部１７近傍に位置する外周側１６ａには、六角ねじなどの止着材２１をその先端部を突出させた状態で螺着させることができるい螺孔２０が３カ所に形成されている。
【００２１】
当接体部２３は、可動体部１６の開口部１８側から挿入して雌ねじ部１９に螺着される雄ねじ部２４と、該雄ねじ部２４の外径よりも大径な外径が付与されてその頂端部側に一体に形成された当接部２５とを備えている。また、該当接部２５は、その表面側に平坦な当接面２６が形成され、さらに、適宜の接着剤を塗布してなる接合層２７が形成されている。
【００２２】
連結支腕体３２は、相互間に略直角の内角を形成して組み合わされる３枚のパネル材Ｐ１，Ｐ２，Ｐ３の各内側面Ａ，Ｂ，Ｃに対し、３個で構成されている揺動体１２のそれぞれの当接体部２３が備える当接面２６を正対させて配置させることができる形状が付与されて形成されている。
【００２３】
すなわち、連結支腕体３２は、それぞれが所要長さの直進支杆部３４と、該直進支杆部３４の両端側から各別に延設された短寸折曲部３５とからなる連結杆３３を３本の組み合わせとすることで構成されている。
【００２４】
これを図１に基づいて説明すれば、１本の連結杆３３は、天板であるパネル材Ｐ１の内側面Ａと一方の側板であるパネル材Ｐ２の内側面Ｂとの面方向に対し、それぞれの短寸折曲部３５をその長さ方向が直交する位置関係のもとで配置できる形状が付与されて形成されている。
【００２５】
また、他の１本の連結杆３３は、天板であるパネル材Ｐ１の内側面Ａと他方の側板であるパネル材Ｐ３の内側面Ｃとの面方向に対し、それぞれの短寸折曲部３５をその長さ方向が直交する位置関係のもとで配置できる形状が付与されて形成されている。
【００２６】
さらに、残りの１本の連結杆３３は、一方の側板であるパネル材Ｐ２の内側面Ｂと他方の側板であるパネル材Ｐ３の内側面Ｃとの面方向に対し、それぞれの短寸折曲部３５をその長さ方向が直交する位置関係のもとで配置できる形状が付与されて形成されている。
【００２７】
このようにして形成されている各連結杆３３は、天板であるパネル材Ｐ１の内側面Ａ側に位置することになる短寸折曲部３５，３５相互を隣接配置した上で、その開放端３５ａ側に螺合固定部３６を図２に示すように固着する。
【００２８】
また、一方の側板であるパネル材Ｐ２の内側面Ｂ側に位置することになる短寸折曲部３５，３５相互を隣接配置した上で、その開放端３５ａ側に螺合固定部３６を図２に示すように固着する。
【００２９】
さらに、他方の側板であるパネル材Ｐ３の内側面Ｃ側に位置することになる短寸折曲部３５，３５相互を隣接配置した上で、その開放端３５ａ側に螺合固定部３６を図２に示すように固着する。
【００３０】
３本の連結杆３３は、それぞれの短寸折曲部３５側に螺合固定部３６を各別に固着することで、図１に示すように一体的に組み合わされた連結支腕体３２として機能させることができることになる。
【００３１】
一方、図３に示す本発明の他例における連結支腕体３２は、相互間に略直角の内角を形成して組み合わされる２枚のパネル材Ｐ１，Ｐ２の各内側面Ａ，Ｂ，に対し、２個で構成されている揺動体１２のそれぞれの当接体部２３が備える当接面２６を正対させて配置させることができる形状が付与されて形成されている。
【００３２】
すなわち、連結支腕体３２は、それぞれが所要長さの直進支杆部３４と、該直進支杆部３４の両端側から各別に延設された短寸折曲部３５とからなる連結杆３３を２本の組み合わせとすることで構成されている。
【００３３】
各連結杆３３は、天板であるパネル材Ｐ１の内側面Ａと側板であるパネル材Ｐ２の内側面Ｂとの面方向に対し、それぞれの短寸折曲部３５をその長さ方向が直交する位置関係のもとで配置できる同一形状が付与されて形成されている。
【００３４】
そして、２本の連結杆３３は、相互に沿うように隣接配置することで天板であるパネル材Ｐ１の内側面Ａ側に位置することになる短寸折曲部３５の開放端３５ａ側には、螺合固定部３６を図２に示すように固着する。
【００３５】
また、側板であるパネル材Ｐ２の内側面Ｂ側に位置することになる短寸折曲部３５の開放端３５ａ側には、螺合固定部３６を図２に示すように固着する。
【００３６】
２本の連結杆３３は、このようにして短寸折曲部３５側に螺合固定部３６を各別に固着することで、図３に示すように一体的に組み合わされた連結支腕体３２として機能させることができることになる。
【００３７】
次に、本発明の作用・効果を図１に示す例について説明すれば、例えばガラス板材からなる天板として用いられるパネル材Ｐ１と、例えば木質板材からなる側板として用いられるパネル材Ｐ２とパネル材Ｐ３とは、図１に示すように相互間に略直角の内角を形成して突き合わせることで、直角のコーナー部５２を有する適宜の枠体５１として組み合わせる必要があるものとする。
【００３８】
この場合、パネル材用連結金具１１は、図１に示すように連結支腕体３２を介することで、３枚のパネル材Ｐ１，Ｐ２，Ｐ３の各内側面Ａ，Ｂ，Ｃに対し、３個で構成されている揺動体１２のそれぞれの当接体部２３が備える当接面２６を正対させて配置させることができる。
【００３９】
しかも、各揺動体１２は、図２に示すように螺合固定部３６への螺着が自在に形成された支持体部１３と、該支持体部１３を介して螺合固定部３６との間で遊動自在に支持される可動体部１６と、該可動体部１６への螺着が自在で、かつ、当接面２６をその表出面に備えて形成された当接体部２３とで構成されている。
【００４０】
このため、各揺動体１２は、次の手順を踏んで連結支腕体３２の螺合固定部３６側に連結させることができる。
【００４１】
すなわち、可動体部１６には、その縮径開口部１７に支持体部１３の掛止部１５を掛止させた状態のもとで、各螺孔２０から例えば六角ねじなどの止着材２１を各別に送り込み、これら止着材２１を緊締することで、支持体部１３側を仮り固定する。
【００４２】
このようにして可動体部１６側に仮り固定した支持体部１３は、可動体部１６側を手指で把持しながら回すことで、雄ねじ部１４を連結支腕体３２の螺合固定部３６の雌ねじ穴３７へと螺着させて可動体部１６ともども取り付けることができる。
【００４３】
しかる後、可動体部１６の開口部１８側からは、当接体部２３の雄ねじ部２４を送り込んでその雌ねじ部１９に螺着させることで当接体部２３を取り付け、その全体で揺動体１２が組み立てられることになる。
【００４４】
このようにして連結支腕体３２の各螺合固定部３６に揺動体１２を各別に取り付けた後は、図１に示すように組み立てられた枠体５１のコーナー部５２へと配置し、各揺動体１２の当接面２６を対応する各パネル材Ｐ１，Ｐ２，Ｐ３の各内側面Ａ，Ｂ，Ｃに当接配置する。
【００４５】
この際、各内側面Ａ，Ｂ，Ｃに当接面２６側を正対させることができない場合には、止着材２１を緩めて可動体部１６に対する支持体部１３側の仮り固定状態を解除する。これにより、可動体部１６は、遊動状態におかれる結果、該可動体部１６に螺着されている当接体部２３にも揺動性を付与することができる。
【００４６】
このように当接体部２３に揺動性を付与することで、その当接面２６は、各パネル材Ｐ１，Ｐ２，Ｐ３の各内側面Ａ，Ｂ，Ｃに正対させた位置関係のもとで各パネル材Ｐ１，Ｐ２，Ｐ３側に当接させることができることになる。
【００４７】
したがって、各パネル材Ｐ１，Ｐ２，Ｐ３は、パネル用連結金具１１を介して一体的に組み立てられ、枠体５１として用いることができることになる。
【００４８】
しかも、各パネル材Ｐ１，Ｐ２，Ｐ３の各内側面Ａ，Ｂ，Ｃに対する当接面２６側の位置調整は、可動体部１６側に対する当接体部２３の螺合状態を調整させて当接体部２３を進退させることで容易に行うことができる。
【００４９】
また、各パネル材Ｐ１，Ｐ２，Ｐ３の各内側面Ａ，Ｂ，Ｃに対する当接面２６側の接着力をより強化したい場合には、より大径な当接部２５を有する当接体部２３に交換することで、即応させることができる。
【００５０】
なお、図３に示す例による場合も、同様の手順を踏んでパネル材Ｐ１とパネル材Ｐ２とを一体的に組み立てて２枚構成の枠体５１として用いることができることになる。
【００５１】
以上は、本発明を図示例に基づいて説明したものであり、その具体的な内容は、本発明の要旨を逸脱しない限り、種々の変形を加えることができる。例えば、連結支杆３３は、複数本で構成することなく、一体に打ち抜かれた１個のものであってもよい。また、当接体部の当接面２６には、事前ではなく、組み立て作業時に接合面２７をその都度設けるものであってもよい。
【産業上の利用可能性】
【００５２】
例えば、美術館等におけるガラス板材からなる展示ケースや展示棚として枠体を用いようとする場合には、ガラス板材側に連結孔などの加工部を設けることなく、デザイン性や透視性に優れた見やすい状態のもとで容易に組み立てて設置することができる。
【図面の簡単な説明】
【００５３】
【図１】本発明の一例についての斜視図。
【図２】本発明における揺動体と連結支腕体が備える螺合固定部との配置関係を分解して示す要部斜視部。
【図３】本発明の一例についての斜視図。
【符号の説明】
【００５４】
１１  パネル用連結金具
１２  揺動体
１３  支持体部
１４  雄ねじ部
１５  掛止部
１６  可動体部
１６ａ  外周面
１７  縮径開口部
１８  開口部
１９  雌ねじ部
２０  螺孔
２１  止着材
２３  当接体部
２４  雄ねじ部
２５  当接部
２６  当接面
２７  接合層
３２  連結支腕体
３３  連結杆
３４  直進支杆部
３５  短寸折曲部
３５ａ  開放端
３６  螺合固定部
３７  雌ねじ穴
５１  枠体
５２  コーナー部
Ｐ１，Ｐ２，Ｐ３  パネル材
Ａ，Ｂ，Ｃ  内側面
【図１】
2007247874.tif 000003
【図２】
2007247874.tif 000004
【図３】
2007247874.tif 000005